【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
入斜光モードおよび透過光モードでの観察に対する多層フィルム体の形態のセキュリティ要素（１、３）であって、前記セキュリティ要素（１、３）は、透過光モードで観察者に対して透明または半透明な第一の領域（２０、４０）において、キャリアフィルム（１２、３１）と部分的な金属反射層（１３、３４）とを有し、
前記第一の領域（２０、４０）において、前記金属反射層が備えられる第一のゾーン（２１、４１）と、前記金属反射層が備えられない第二のゾーン（２２、４２）とが、連続する第一のゾーン（２１、４１）の重心間隔が300μm以下で交互に配置され、前記第一の領域（２０、４０）が、300μmより大きい大きさの少なくとも一つのパターン領域（２３）と、前記パターン領域（２３）に隣接し、少なくとも部分的に前記パターン領域（２３）を囲む背景領域（２４）とを有し、前記パターン領域において連続する第二のゾーン（２２、４２）の間隔が、前記背景領域（２４）において連続する第二のゾーン（２２、４２）の間隔に対して5〜30%異なり、前記パターン領域（２３）の形成により設定される情報アイテムが、透過光モードにおいて、観察者に対して可視化されること、
を特徴とするセキュリティ要素（１、３）。
【請求項２】
前記第一のゾーン（２１、４１）が、線形状またはストライプ形状の構造であり、前記第一の領域（２０、４０）において、前記第一のゾーン（２１、４１）の全表面領域が、前記第一および第二のゾーン（２１、２２；４１、４２）の全領域の50%以下、好ましくは10%以下の領域比を占め、前記第一のゾーン（２１、４１）が、実質的に互いに平行に配置され、前記第一のゾーンの縦軸が、第一の領域（２０、４０）において第一の座標軸とそれとは異なる第二の座標軸とで規定される座標系の第一の座標軸の方向に配置されること、
を特徴とする請求項１に記載のセキュリティ要素（１、３）。
【請求項３】
第一のゾーン（２１、４１）が、パターン領域（２３）と背景領域（２４）との間の境界を越えて延び、前記各第一のゾーンが前記パターン領域および前記背景領域の双方に備えられること、
を特徴とする請求項２に記載のセキュリティ要素（１、３）。
【請求項４】
前記第一のゾーン（２１、４１）において、第一の表面構造、特に等方性または異方性マット構造が、前記反射層の表面に形成されること、
を特徴とする請求項１〜３のいずれか１項に記載のセキュリティ要素（１、３）。
【請求項５】
入斜光モードおよび透過光モードでの観察に対する多層フィルム体の形態のセキュリティ要素（６、８）であって、前記セキュリティ要素（６、８）は、透過光モードで観察者に対して透明または半透明な第一の領域（７３）において、キャリアフィルム（６２、８１）および部分的な金属反射層（６４、８４、８６）を有し、
前記金属反射層が備えられる第一のゾーン（７１、９１）と、前記金属反射層が備えられない第二のゾーン（７２、９２）とが、前記第一の領域（７３）において交互に備えられ、前記第一の領域（７３）内の前記第一および第二のゾーン（７１、９１；７２、９２）それぞれが、300μm以下の最小寸法であり、前記第一の領域（７３）は、大きさが300μmより大きい少なくとも一つのパターン領域（７８）と、前記パターン領域に隣接し少なくとも部分的に前記パターン領域を囲む少なくとも一つの背景領域（７９）とを有し、前記第一の領域（７３）内で、前記第一のゾーン（７１、９１）に占有される前記背景領域および前記パターン領域の少なくとも部分的な領域において、フィルム体に規定される平面の鏡面反射により少なくとも部分的に入射光を反射する第一の表面構造（６７、８７）が前記反射層（６４、８４）に形成され、各パターン領域（７８）の全表面領域に対する前記第一のゾーン（７１、９１）の表面領域比が、各背景領域（７９）の全表面領域に対する前記第一のゾーン（７１、９１）の表面領域比と5〜30%異なり、前記パターン領域（７８）の形成により設定される第一の情報アイテムが、透過光モードにおいて、観察者に対して可視化されること、
を特徴とするセキュリティ要素（６、８）。
【請求項６】
前記第一の表面構造（６７）が、前記第一の領域（７３）を少なくとも部分的にカバーする第二の領域（７４）において備えられ、前記第二の領域が、前記第一の表面構造（７６）として、異なる表面構造が前記反射層（６４）に形成される、２つ以上のサブ領域（７５、７６）を有すること、
を特徴とする請求項４または5に記載のセキュリティ要素（６）。
【請求項７】
前記第二の領域（７４）が、前記第一の領域（７３）を越えて突出すること、
を特徴とする請求項６に記載のセキュリティ要素（６）。
【請求項８】
前記第二の領域（７４）が、多数の均一な形状の第一のサブ領域（７５）と、多数の均一な形状の第二のサブ領域（７６）とを有し、前記第一のサブ領域（７５）および前記第二のサブ領域（７６）において異なる表面構造が前記反射層（６４）に形成され、および／または前記第一のサブ領域（７５）および前記第二のサブ領域が異なる構造を含み、前記第一および第二のサブ領域および任意のさらなるサブ領域が、反復パターンの形態で配置されること、
を特徴とする請求項４〜７のいずれか１項に記載のセキュリティ要素（６）。
【請求項９】
前記セキュリティ要素（８）が、前記金属反射層（８４）とは間隔をおくさらなる部分的な金属反射層（８６）を有し、さらなる前記金属反射層（８６）は、前記第一のゾーン（９１）において前記第一の金属反射層（８４）と合致して備えられるとともに前記第二のゾーン（９４）においては備えられず、第二の表面構造（８８）がさらなる前記金属反射層の表面に形成され、前記第一の表面構造（８４）が第四の情報アイテムを提示し、前記第二の表面構造（８６）が前記第四の情報アイテムとは異なる第五の情報アイテムを提示し、入射光モードで前記反射層（８４）の側（１０１）から観察する場合に、前記第四の情報アイテムが可視化され、さらなる前記反射層（８６）の側（１０２）から観察する場合に、前記第五の情報アイテムが可視化され、透過光モードで観察する場合に、前記第一の情報アイテムが可視化されること、
を特徴とする請求項４〜８のいずれか１項に記載のセキュリティ要素。
【請求項１０】
前記第一の領域（４０）内に配置される第二の領域（５２、５４）において、第一の表面構造（４３）が前記セキュリティ要素の複製層（３３）に形成され、または、第一の加飾層（３２）が前記セキュリティ要素に備えられ、第四の情報アイテムを提示すること、
を特徴とする請求項１〜９のいずれか１項に記載のセキュリティ要素（１、３）。
【請求項１１】
前記複製層（３３）または前記第一の加飾層（３２）が、前記金属反射層（３４）と前記セキュリティ要素の第一の表面との間に配置され、前記第一の領域（４０）内に配置される第三の領域（５３）において、第二の表面構造が前記セキュリティ要素の複製層に形成され、または、第二の加飾層（３５）が前記セキュリティ要素に形成されて、第五の情報アイテム（５３）を提示し、前記複製層または前記第二の加飾層（３５）が、前記金属反射層（３４）と前記セキュリティ要素の第二の表面との間に配置され、入射光モードで前記第一の表面の側から観察する場合に、前記第四の情報アイテムを見ることができ、入射光モードで前記第二の表面の側から観察する場合に、前記第五の情報アイテムを見ることができること、
を特徴とする請求項１０に記載のセキュリティ要素（１、３）。
【請求項１２】
前記第一の表面構造または前記第一の加飾層が、前記第二の領域によりカバーされる前記第二のゾーンに形成されまたは備えられるとともに、前記第二の領域によりカバーされる前記第一のゾーンには形成されずまたは備えられず、透過光モードにおいて、前記第四の情報アイテムを見ることができること、
を特徴とする請求項１０に記載のセキュリティ要素（１、３）。
【請求項１３】
前記第一の表面構造または前記第一の加飾層が、前記第二の領域によりカバーされる前記第二のゾーンに形成されまたは備えられるとともに、前記第一の領域内に配置される第三の領域において、第二の表面構造が、前記セキュリティ要素の複製層に形成され、または、第二の加飾層が、前記セキュリティ要素に備えられて、第五の情報アイテムを提示し、前記複製層または前記第二の加飾層が、前記金属反射層と前記セキュリティ要素の第二の表面との間に配置され、入射光モードで前記第二の表面の側から観察する場合に、前記第五の情報アイテムを見ることができ、透過光モードで観察する場合に、前記第四の情報アイテムを見ることができること、
を特徴とする請求項１０または１２に記載のセキュリティ要素（１、３）。
【請求項１４】
前記第一の領域内に配置される第四の領域において、第三の表面構造が、前記セキュリティ要素の複製層に形成され、または、第三の加飾層が、前記セキュリティ要素に備えられて、第六の情報アイテムを提示し、前記複製層または前記第三の加飾層が前記金属反射層と前記セキュリティ要素の第一の表面との間に配置され、入射光モードで前記第一の表面の側から観察する場合に、前記第五の情報アイテムを見ることができ、入射光モードで前記第二の表面の側から観察する場合に、前記第六の情報アイテムを見ることができること、
を特徴とする請求項１３に記載のセキュリティ要素（１、３）。
【請求項１５】
前記第二の領域が前記第三の領域と重なり、前記第三の領域が前記第四の領域と重なり、または、前記第二、第三、および第四の領域が重なること、
を特徴とする請求項１０〜１４のいずれか１項に記載のセキュリティ要素（１、３）。